(57)【特許請求の範囲】
【請求項１】
一方の空間２ａと他方の空間２ｂを連通する出入口３に、回転ドア９を設け、回転ドア９の一方の面を凹状面１０に形成し、凹状面１０と反対側の他方の面を凸状面１１に形成し、回転ドア９が出入口３を閉鎖した位置で、凹状面１０側の空間が拡大し、凸状面１１側の空間が縮小するように形成した回転ドア装置において、
回転ドア９と同様に一方の面を凹面２３に形成し、凹面２３の反対側の面を凸面２４に形成した、一方の頭部遮蔽片２１ａを、回転ドア９に同心状に重ねて、かつ、縦方向の中心線を中心として回動可能に設け、この一方の頭部遮蔽片２１ａは、出入口３を閉鎖した回転ドア９の凹状面１０の前に立った使用者の頭部にそそがれる、出入口３の一方の側方からの視線を遮る一方の頭部遮蔽片２１ａに形成し、
前記一方の頭部遮蔽片２１ａは、一方の縦端部３２ａが一方のドア端部１２ａに沿う位置にあるとき、一方の縦端部３２ａと、一方の縦端部３２ａの上部から水平方向の一方の前部３３ａまで延びる部分と、一方の前部３３ａから一方の縦端部３２ａの下方に延びる一方の傾斜部３４ａで形成される略３角形状に形成した回転ドア装置。
【請求項２】
回転ドア９と同様に一方の面を凹面２３に形成し、凹面２３の反対側の面を凸面２４に形成した、他方の頭部遮蔽片２１ｂを、一方の頭部遮蔽片２１ａの反対側の位置に在るようにして、回転ドア９に同心状に重ねて、かつ、縦方向の中心線を中心として回動可能に設け、他方の頭部遮蔽片２１ｂは、出入口３を閉鎖した回転ドア９の凹状面１０の前に立った使用者の頭部にそそがれる、出入口３の他方の側方からの視線を遮る他方の頭部遮蔽片２１ｂに形成した請求項１記載の回転ドア装置。
【請求項３】
前記他方の頭部遮蔽片２１ｂは、他方の縦端部３２ｂが、他方のドア端部１２ｂに沿う位置にあるとき、他方の縦端部３２ｂと、他方の縦端部３２ｂの上部から水平方向の他方の前部３３ｂまで延びる部分と、他方の前部３３ｂから他方の縦端部３２ｂの下方に延びる他方の傾斜部３４ｂで形成される略３角形状に形成した請求項２記載の回転ドア装置。
【発明の詳細な説明】
【０００１】
【発明の属する技術分野】
本発明は、出入口を開閉する弧状に湾曲した回転ドア装置に関する。
【０００２】
【従来の技術】
従来弧状に湾曲した回転ドアで、出入口を開閉するようにした回転ドア装置は知られている。
【０００３】
そして、前記回転ドア装置は、室内となる側を使用する場合には、回転ドアの湾曲して凸出した側を、室外となる側に向けて出入口を閉鎖して、室内となる側を広くして使用する。
【０００４】
そして、室内となる側を使用しないときは、湾曲して凸出した側を、室内となる側に向けて出入口を閉鎖して、出入口の前の室外となる側を広くするようにしており便利である。
【０００５】
【発明が解決しようとする課題】
前記回転ドア装置は、室内となる側を使用するとき、或いは、使用したときには、使用者は、出入口の前に立つことになる。
【０００６】
そして、使用者が出入口の前に立っているとき、出入口の前方に誰も居なくても、出入口の側方に誰かが居ると、互いの視線が合うことがある。
そして、視線が合わなくても、側方に誰かが居ると、使用者は見られているようで、または見られそうな状態を意識して、気まずい思いをする場合もある。
【０００７】
本発明は、前記事項に鑑みなされたものであり、使用者が室内となる側への出入時に、出入口の前に立ったとき、出入口の側方に使用者以外の誰かが居ても、気まずい思いをすることなく、出入できるようにするドア装置を提供することを課題とする。
【０００８】
【課題を解決するための手段】
第１の発明は、一方の空間２ａと他方の空間２ｂを連通する出入口３に、回転ドア９を設け、回転ドア９の一方の面を凹状面１０に形成し、凹状面１０と反対側の他方の面を凸状面１１に形成し、回転ドア９が出入口３を閉鎖した位置で、凹状面１０側の空間が拡大し、凸状面１１側の空間が縮小するように形成した回転ドア装置において、
回転ドア９と同様に一方の面を凹面２３に形成し、凹面２３の反対側の面を凸面２４に形成した、一方の頭部遮蔽片２１ａを、回転ドア９に同心状に重ねて、かつ、縦方向の中心線を中心として回動可能に設け、この一方の頭部遮蔽片２１ａは、出入口３を閉鎖した回転ドア９の凹状面１０の前に立った使用者の頭部にそそがれる、出入口３の一方の側方からの視線を遮る一方の頭部遮蔽片２１ａに形成して回転ドア装置とした。
【０００９】
第２の発明は、第１の発明において、前記一方の頭部遮蔽片２１ａは、一方の縦端部３２ａが一方のドア端部１２ａに沿う位置にあるとき、一方の縦端部３２ａと、一方の縦端部３２ａの上部から水平方向の一方の前部３３ａまで延びる部分と、一方の前部３３ａから一方の縦端部３２ａの下方に延びる一方の傾斜部３４ａで形成される略３角形状に形成して回転ドア装置とした。
【００１０】
第３の発明は、第１または第２の発明のいずれかにおいて、回転ドア９と同様に一方の面を凹面２３に形成し、凹面２３の反対側の面を凸面２４に形成した、他方の頭部遮蔽片２１ｂを、一方の頭部遮蔽片２１ａの反対側の位置に在るようにして、回転ドア９に同心状に重ねて、かつ、縦方向の中心線を中心として回動可能に設け、他方の頭部遮蔽片２１ｂは、出入口３を閉鎖した回転ドア９の凹状面１０の前に立った使用者の頭部にそそがれる、出入口３の他方の側方からの視線を遮る他方の頭部遮蔽片２１ｂに形成して回転ドア装置とした。
【００１１】
第４の発明は、第３の発明において、前記他方の頭部遮蔽片２１ｂは、他方の縦端部３２ｂが、他方のドア端部１２ｂに沿う位置にあるとき、他方の縦端部３２ｂと、他方の縦端部３２ｂの上部から水平方向の他方の前部３３ｂまで延びる部分と、他方の前部３３ｂから他方の縦端部３２ｂの下方に延びる他方の傾斜部３４ｂで形成される略３角形状に形成して回転ドア装置とした。
【００１２】
そして、本発明の回転ドア装置は、出入口３が設置される場所の状況、すなわち、出入口３に対する、通路や壁・窓等の建造物の方向に応じ、あるいは特定の時間帯に応じて、前記頭部遮蔽片２１ａ，２１ｂが回転ドア９から適宜せり出して使用者に向けられる外部からの視線を遮蔽する。
【００１３】
なお、前記空間２ａは、トイレット、電話室、シャワー室、更衣室、現金自動預け払い機等を設置した店舗、等に使用することができる。
【００１４】
【発明の実施の形態】
以下図に基づいて、本発明の回転ドア装置の実施の形態の説明をする。図１から図５は、本発明の一実施の形態の説明用の図である。
【００１５】
この実施の形態は、図２及び図１に示す仕切壁１で囲まれた、トイレットなどとして形成された一方の空間２ａを備えており、仕切壁１に設けた出入口３は、一方の空間２ａと他方の空間２ｂを連通する出入口３である。
【００１６】
この出入口３の上方には、円形に形成したドア支承用環状レール１３が、天井から略水平状となるようにして吊り下げられて設置してあり、このドア支承用環状レール１３の上には、数個の転輪１５を介して、円形に形成したドア上部環状体１４が回動可能に載置してある。
【００１７】
前記ドア上部環状体１４の下面には、金属板で形成し、図２に示すように略半円筒状に形成した回転ドア９の上端部が、ドア支承用環状レール１３の内側を挿通するようにして取付けてあり、ドア上部環状体１４と、回転ドア９が一体となって回動するように形成してある。
【００１８】
そして、回転ドア９の一方の面を凹状面１０に形成し、凹状面１０と反対側の他方の面を凸状面１１に形成し、回転ドア９が出入口３を図２に示すように閉鎖した位置で、凹状面１０側の空間（図２では空間２ｂ）が拡大し、凸状面１１側の空間（図２では空間２ａ）が縮小するように形成してある。
【００１９】
また、ドア上部環状体１４の上には、円形に形成した頭部遮蔽体上部環状体２２が、ドア上部環状体１４に対して回動可能に載置してあり、この頭部遮蔽体上部環状体２２の内側から、下方に垂下するようにして、前記回転ドア９と同様に一方の面を凹面２３に形成し、凹面２３の反対側の面を凸面２４に形成した、一方の頭部遮蔽片２１ａを、回転ドア９の内側に同心状に重ねて装着して、かつ、縦方向の中心線を中心として回動可能に設けてある。
【００２０】
この一方の頭部遮蔽片２１ａは、出入口３を閉鎖した回転ドア９の凹状面１０の前に立った使用者の頭部にそそがれる、出入口３の一方の側方からの視線を、遮る一方の頭部遮蔽片２１ａに形成してある。
【００２１】
前記一方の頭部遮蔽片２１ａは、一方の縦端部３２ａが、一方のドア端部１２ａに沿う位置にあるとき、一方の縦端部３２ａと、一方の縦端部３２ａの上部から水平方向の前部３３ａまで円弧状に延びる部分と、一方の前部３３ａから一方の縦端部３２ａの下方に延びる一方の傾斜部３４ａで形成される略３角形状に形成してある。
【００２２】
また、頭部遮蔽体上部環状体２２には、回転ドア９と同様に一方の面を凹面２３に形成し、凹面２３の反対側の面を凸面２４に形成した、他方の頭部遮蔽片２１ｂが、頭部遮蔽体上部環状体２２の内側を垂下するようにして設けてある。
【００２３】
前記他方の頭部遮蔽片２１ｂは、回転ドア９に同心状に重ねて、かつ、縦方向の中心線を中心として、頭部遮蔽体上部環状体２２及び一方の頭部遮蔽片２１ａと一体に回動するように形成してある。
【００２４】
そして、他方の頭部遮蔽片２１ｂは、出入口３を閉鎖した回転ドア９の凹状面１０の前に立った使用者の頭部にそそがれる、出入口３の他方の側方からの視線を遮る他方の頭部遮蔽片２１ｂに形成してある。
【００２５】
この他方の頭部遮蔽片２１ｂは、他方の縦端部３２ｂが、他方のドア端部１２ｂに沿う位置にあるとき、他方の縦端部３２ｂと、他方の縦端部３２ｂの上部から水平方向の他方の前部３３ｂまで円弧状に延びる部分と、他方の前部３３ｂから他方の縦端部３２ｂの下方に延びる他方の傾斜部３４ｂで形成される略３角形状に形成したものである。
【００２６】
そして、前記他方の頭部遮蔽片２１ｂは、一方の頭部遮蔽片２１ａの反対側の位置に在るように形成してある。
すなわち、一方の頭部遮蔽片２１ａが、図２及び図１に示すように、回転ドア９の一方のドア端縁１２ｂより出入口３の前方に突出して、出入口３の一方の側方からの視線を遮っているときは、他方の頭部遮蔽片２１ｂは、回転ドア９と重なる不使用位置にあるように形成してある。
【００２７】
そして、他方の頭部遮蔽片２１ｂが、他方の側方からの視線を遮っているときは、図５に示すように、一方の頭部遮蔽片２１ａは、回転ドア９と重なる不使用位置にあるように形成してある。
【００２８】
そして、この実施の形態では、一方の頭部遮蔽片２１ａの一方の縦端部３２ａと、他方の頭部遮蔽片２１ｂの他方の縦端部３２ｂの間は切欠かれているが、この一方の縦端部３２ａと、他方の縦端部３２ｂの間は、切欠かず円弧状の連続した部分に形成することも可能である。
【００２９】
これは、一方の縦端部３２ａと、他方の縦端部３２ｂ間の切欠いた部分は、一方の頭部遮蔽片２１ａと、他方の頭部遮蔽片２１ｂのどちらかが、側方からの視線を遮蔽しているときには、前記切欠いた部分は常に回転ドア９に重なっており、側方からの視線の遮蔽に影響を及ぼさないからである。
【００３０】
そして、明細書で、一方の縦端部３２ａ、及び他方の縦端部３２ｂと記載したのは、説明を理解し易くするために、縦端部と記載したものであり、一方の頭部遮蔽片２１ａ、及び他方の頭部遮蔽片２１ｂの、側方からの視線を遮る限界の位置を表現したものであり、切欠いた端部を構成の要件とするものではない。
【００３１】
なお、本実施形態では、一方の頭部遮蔽片２１ａと他方の頭部遮蔽片２１ｂは一体に回動するように形成したが、一方の頭部遮蔽片２１ａと他方の頭部遮蔽片２１ｂをそれぞれ独立して回動できるように形成してもよい。この場合、頭部遮蔽体上部環状体２２を同心状に並列して２体設け、一方の頭部遮蔽体上部環状体２２に一方の頭部遮蔽片２１ａを垂下して設けるとともに、他方の頭部遮蔽体上部環状体２２に他方の頭部遮蔽片２１ｂを垂下して設けるようにするとよい。
【００３２】
このようにすれば、例えば、回転ドア９からせり出されるそれぞれの頭部遮蔽片２１ａ，２１ｂを、本装置が設置される場所の状況に対応させて、完全に突出させない状態に制御することもできる。そして、一方の頭部遮蔽片２１ａと他方の頭部遮蔽片２１ｂの両方を同時に回転ドア９からせり出させる場合、双方の頭部遮蔽片２１ａ，２１ｂを広い状態に回転ドア９からせり出させることもできるし、あるいは双方の頭部遮蔽片２１ａ，２１ｂを狭い状態に回転ドア９からせり出させることもできる。
【００３３】
また、前記一方の頭部遮蔽片２１ａと他方の頭部遮蔽片２１ｂは、回転ドア９の内側に沿って回動するように形成したが、回転ドア９の外側に沿って回動するように形成してもよい。さらには、回転ドア９の内部に空洞部を形成し、一方の頭部遮蔽片２１ａと他方の頭部遮蔽片２１ｂとが、回転ドア９の内部に収納されるように形成することもできる。
【００３４】
また、前記一方の頭部遮蔽片２１ａと他方の頭部遮蔽片２１ｂは、外部からの視線を遮蔽できるものであれば、三角形状以外どのような形状（四角形状，傾斜部を段状、波状に形成する等）にでも形成することができる。
【００３５】
【発明の効果】
本発明は、出入口３を閉鎖した回転ドア９の凹状面１０の前に立った使用者の頭部にそそがれる、出入口３の一方の側方から視線を遮る一方の頭部遮蔽片２１ａを形成したものである。
【００３６】
したがって、使用者が室内となる側への出入時に、回転ドア９の凹状面１０の前に立ったとき、出入口３の一方の側方（例えば左側）に誰か居ても、その一方の側方からの視線を遮る位置に、一方の頭部遮蔽片２１ａを置くことにより、一方の側方からの視線を遮ることができ、使用者が気まずい思いをするのを防ぐことができる。
【００３７】
また本発明は、一方の頭部遮蔽片２１ａを形成した装置に、さらに、出入口３を閉鎖した回転ドア９の凹状面１０の前に立った使用者の頭部にそそがれる、出入口３の他方の側方からの視線を遮る他方の頭部遮蔽片２１ｂを形成したものである。
【００３８】
したがって、使用者が室内となる側への出入時に、回転ドア９の凹状面１０の前に立ったとき、出入口の他方の側方（例えば右側）に誰か居ても、その他方の側方からの視線を遮る位置に、他方の頭部遮蔽片２１ｂを置くことにより、他方の側方からの視線を遮ることができ、使用者が気まずい思いをするのを防ぐことができる。
【００３９】
また、一方の頭部遮蔽片２１ａと他方の頭部遮蔽片２１ｂを、出入口３が設置される場所の状況等に応じて選択的に使用することができるので、さらに効率良く使用者に対する外部からの視線を遮蔽することができる。
【図面の簡単な説明】
【図１】本発明の一実施の形態の説明用の図で、一方の頭部遮蔽片が一方の側方（図では左側）からの視線を遮る使用位置にあり、他方の頭部遮蔽片が、回転ドアに重なる不使用位置にある状態を示す正面図
【図２】本発明の一実施の形態の説明用の図１のＡ−Ａ線の断面図
【図３】本発明の一実施の形態の説明用の一方の頭部遮蔽片と他方の頭部遮蔽片の斜視図
【図４】本発明の一実施の形態の説明用の図で、一方の頭部遮蔽片が回転ドアから突出する使用位置にあり、他方の頭部遮蔽片が回転ドアに重なる不使用位置にある状態を示す斜視図
【図５】本発明の一実施の形態の説明用の図で、他方の頭部遮蔽片が他方の側方（図では右側）からの視線を遮る使用位置にあり、一方の頭部遮蔽片が、回転ドアに重なる不使用位置にある状態を示す正面図
【符号の説明】
１    仕切壁
２ａ  一方の空間
２ｂ  他方の空間
３    出入口
９    回転ドア
１０    凹状面
１１    凸状面
１２ａ  一方のドア端縁
１２ｂ  他方のドア端縁
１３    ドア支承用環状レール
１４    ドア上部環状体
１５    転輪
２１ａ  一方の頭部遮蔽片
２１ｂ  他方の頭部遮蔽片
２２    頭部遮蔽体上部環状体
２３    凹面
２４    凸面
２５ａ  一方の内面
２５ｂ  他方の内面
２６ａ  一方の外面
２６ｂ  他方の外面
３２ａ  一方の縦端部
３２ｂ  他方の縦端部
３３ａ  水平方向の一方の前部
３３ｂ  水平方向の他方の前部
３４ａ  一方の傾斜部
３４ｂ  他方の傾斜部
【図１】
0004072292.tif 000002
【図２】
0004072292.tif 000003
【図３】
0004072292.tif 000004
【図４】
0004072292.tif 000005
【図５】
0004072292.tif 000006